(57)【要約】【課題】事象間の構造を表す連関図を作成、修正する際、連関図を構成する部品に付加した情報を識別できるように表示する情報処理装置及びプログラムを提供する。【解決手段】情報処理装置は、事象の間の構造を表す連関図上で、該連関図を構成する部品に付加情報を設定する設定手段と、前記付加情報に応じて前記付加情報が設定された各部品を区別して表示する表示手段とを備える。【選択図】図２
2020140547.tif 000002
【特許請求の範囲】
【請求項１】
事象の間の構造を表す連関図上で、該連関図を構成する部品に付加情報を設定する設定手段と、
前記付加情報に応じて前記付加情報が設定された各部品を区別して表示する表示手段と、
を備えた情報処理装置。
【請求項２】
前記連関図を構成する部品は、前記事象を示す事象部品および前記事象部品間の関係性を示す接続部品である請求項１に記載の情報処理装置。
【請求項３】
前記設定手段は、前記連関図上で指定された事象部品あるいは接続部品に付加情報を設定し、
前記表示手段は、付加情報が設定された前記事象部品あるいは接続部品を、他とは区別して表示する請求項２に記載の情報処理装置。
【請求項４】
前記設定手段は、予め前記事象部品あるいは接続部品に所定の属性を持たせておき、指定された属性に該当する前記事象部品あるいは接続部品に付加情報を設定する請求項３に記載の情報処理装置。
【請求項５】
前記属性は、更新日時もしくは新規生成日時である請求項４に記載の情報処理装置。
【請求項６】
前記属性は、連関図の作成者を示す情報である請求項４に記載の情報処理装置。
【請求項７】
前記表示手段は、表示するパターンを複数保持でき、それらを任意に切り替えて表示する請求項４−請求項６のいずれか１項に記載の情報処理装置。
【請求項８】
コンピュータを、
事象の間の構造を表す連関図上で、該連関図を構成する部品に付加情報を設定する設定手段と、
前記付加情報に応じて前記付加情報が設定された各部品を区別して表示する表示手段と、
して機能させるプログラム。
【発明の詳細な説明】
【技術分野】
【０００１】
本発明は、情報処理装置及びプログラムに関する。
【背景技術】
【０００２】
複合的な物理現象を利用したシステムは、例えば製品の最終的な品質などの結果に対して、その結果の要因となる事象が複数あり、それらの事象を結果として生じる要因となる事象がまた複数あり、さらにそれらの事象を結果として生じる要因となる事象が複数あり、・・・という具合に多くの事象が連鎖的につながっているのが一般的である。
【０００３】
また、そのような複雑なシステムにおいては、充足しなければならない品質が数多くあるため、設計群と品質群との因果関係は極めて複雑になる。そのため、所望の品質を満足するための設計項目を見出すのが困難であり、ある品質を満足するための設計値の変更が他の品質に悪影響を及ぼすなどの問題を生じやすい。
【０００４】
そのような複雑な事象間の因果関係を可視化し、整理する方法はいくつか知られている。その中で代表的なのが、連関図と品質機能展開表である。連関図は、事象間の関連を表現したものであり、事象の結果とその要因の事象の間を関係線で接続することで因果関係を表現したロジックツリーがその典型である。また、品質機能展開表は、ＱＦＤ（Ｑｕａｌｉｔｙ  Ｆｕｎｃｔｉｏｎ  Ｄｅｐｌｏｙｍｅｎｔ）表とも呼ばれ、半直線上に事象を並べた軸を互いに直交するように配置し、各軸上の事象間の関係を隣り合った軸の間にマトリクス状に配置した記号または数値で示したものである。
【０００５】
連関図は、結果とその要因を漏れや重複なく詳細に示すのに適しているが、対象とする事象が多くなりすぎると、図が過度に複雑化、肥大化してしまうため、実用が困難になる。一方、品質機能展開表は、多くの事象の中から重要なものを抽出して軸上に配置し、マトリクスで因果関係を表現するため、多数の結果と要因の関係を簡潔に表現することができるが、軸上に配置していない事象を含む詳細な因果関係を表現することはできず、その結果、項目の抜けや漏れを生じやすい。そこで連関図と多軸の品質機能展開表を併用することで事象の間の因果関係を漏れや重複なく詳細に抽出して記述しつつ多数の要因の事象と結果の事象との因果関係を簡潔に表現することが考えられている。
【０００６】
特許文献１には、品質機能展開表内のある軸における項目と関連性のある、隣とその隣の軸における項目を表示するようにした情報処理装置が開示されている。特許文献１に開示された情報処理装置は、品質機能展開表のある軸内から第１の項目を選択すると、その軸と隣り合う軸に属している項目との関連性を算出して、隣の軸から第２の項目を抽出し、さらに抽出された第２の項目とその隣の軸に属している項目との関連性から第１の項目との関連性を算出して第３の項目を抽出し、これらの項目を表示するようにしている。このようにして、階層構造の項目間の関連性を分析し、一方向だけでなく、交互方向に因果関係を波及させて表示することができる。
【先行技術文献】
【特許文献】
【０００７】
【特許文献１】特開２０１４−１１２３３８号公報
【発明の概要】
【発明が解決しようとする課題】
【０００８】
本発明の課題の一つは、事象間の構造を表す連関図を作成、修正する際、連関図を構成する部品に付加した情報を識別できるように表示する情報処理装置及びプログラムを提供することにある。
【課題を解決するための手段】
【０００９】
［１］事象の間の構造を表す連関図上で、該連関図を構成する部品に付加情報を設定する設定手段と、
前記付加情報に応じて前記付加情報が設定された各部品を区別して表示する表示手段と、
を備えた情報処理装置。
［２］前記連関図を構成する部品は、前記事象を示す事象部品および前記事象部品間の関係性を示す接続部品である［１］に記載の情報処理装置。
［３］前記設定手段は、前記連関図上で指定された事象部品あるいは接続部品に付加情報を設定し、
前記表示手段は、付加情報が設定された前記事象部品あるいは接続部品を、他とは区別して表示する［２］に記載の情報処理装置。
［４］前記設定手段は、予め前記事象部品あるいは接続部品に所定の属性を持たせておき、指定された属性に該当する前記事象部品あるいは接続部品に付加情報を設定する［３］に記載の情報処理装置。
［５］前記属性は、更新日時もしくは新規生成日時である［４］に記載の情報処理装置。
［６］前記属性は、連関図の作成者を示す情報である［４］に記載の情報処理装置。
［７］前記表示手段は、表示するパターンを複数保持でき、それらを任意に切り替えて表示する［４］−［６］のいずれかに記載の情報処理装置。
［８］コンピュータを、
事象の間の構造を表す連関図上で、該連関図を構成する部品に付加情報を設定する設定手段と、
前記付加情報に応じて前記付加情報が設定された各部品を区別して表示する表示手段と、
して機能させるプログラム。
【発明の効果】
【００１０】
請求項１及び８に係る発明によれば、事象間の構造を表す連関図を構成する部品に付加情報を設定し、付加情報が設定された各部品を区別して表示することで、連関図を作成、修正する際、連関図を攻勢する部品に付加した情報をを識別できるように表示することができる。
請求項２に係る発明によれば、連関図を構成する部品である、事象を示す事象部品および事象部品間の関係性を示す接続部品のいずれに対しても付加情報を設定することができる。
請求項３に係る発明によれば、付加情報が設定された部品を様々な方法で表示することができる。
請求項４に係る発明によれば、連関図を構成する部品の属性を用いて部品に付加情報を設定することができる。
請求項５に係る発明によれば、部品の属性としてその生成日時を用いることができる。
請求項６に係る発明によれば、部品の属性としてその作成者を用いることができる。
請求項７に係る発明によれば、付加情報が設定された部品を表示するパターンを切り替えて表示することができる。
【図面の簡単な説明】
【００１１】
【図１】図１は、連関図の一例を示す説明図である。
【図２】図２は、本発明の実施の形態に係る情報処理装置の概略構成を示す構成図である。
【図３】図３は、本発明の実施の形態における連関図にフラグを設定する様子を示す説明図である。
【図４】図４は、事象部品属性テーブルの一例を示す説明図である。
【図５】図５は、接続部品属性テーブルの一例を示す説明図である。
【図６】図６は、フラグ設定テーブルの一例を示す説明図である。
【図７】図７は、フラグが設定された部品を枠表示する様子を示す説明図である。
【発明を実施するための形態】
【００１２】
（連関図の説明）
連関図とは、複数の事象の間の構造を可視化するために、事象間を接続線で記述して樹形図で表現した図である。とくに、要因や結果の事象）を記述した図形を、各事象の間の依存関係をその依存状態に応じて線で接続して表して樹形図）を構成したものである。この樹形図を、ロジックツリーと呼ぶこともある。多くの事象が連鎖的かつ交差して連結している連関図は、複数人で作成されることが多く、また作成者と参照者が異なる場合も多い。そのような場合、連関図において、議論の注目点や更新箇所を後から発見することが困難となる。
【００１３】
本発明は、連関図を構成する図形の部品に対し、利用者が付加する付加情報としてのフラグを設定し、フラグの種類に応じて各部品を区別して表示することで、連関図を作成、修正する際、議論の注目点や更新箇所が分かり易く識別できるようにしたものである。そこでまず、連関図について簡単に説明しておく。
【００１４】
図１に連関図の一例を示す。本発明の実施形態において、連関図は、例えば、顧客が製品に要求する品質、その品質を実現するための機能、その機能を実現するための物理特性値、その物理特性値を実現するための設計パラメータ（制御パラメータ）という階層構造を有する。
【００１５】
図１に示す連関図２０について、その一部を説明すると、まず顧客が要求するプリント紙の品質としてデカール曲率差２００があり、それを実現する機能として、曲げの降伏寄与分２０１と曲げ時間２０２があり、曲げの降伏寄与分２０１を実現する物理特性として降伏限界２０３及び曲げ歪み２０４がある。さらに、降伏限界２０３を実現する物理特性として降伏応力２０５と環境による変化２０６、降伏環境依存２０７があり、その降伏応力２０５及び降伏環境依存２０７を実現する設計パラメータとして紙種２１０があり、また環境による変化２０６を実現する設計パラメータとして温度２０８及び含水率２０９がある等々という具合に構成されている。
【００１６】
連関図２０において、各事象は先端に矢印のついた線で結ばれているが、矢印の根元側の事象が原因、矢印の先端側の事象が結果を表す。従って、例えばデカール曲率差２００に対しては曲げの降伏寄与分２０１及び曲げ時間２０２が関係している。また各事象間の関係を表す線も、連関図２０においては全て同じ線で表現されているが、事象間の関係に応じて、線の太さや線の種類を変えて表示するようにしてもよい。
【００１７】
製品を製作する場合には、例えば、最下層の設計パラメータである紙種２１０を変化させるとそれに応じて降伏応力２０５が変わり、降伏応力２０５が変わると降伏限界２０３が変わり、降伏限界２０３が変わると曲げの降伏寄与分２０１が変わり、それにより要求品質であるデカール曲率差２００が影響を受けるという関係がある。製品の設計においては、最終的な要求品質が得られるように紙種２１０やその他の設計パラメータを決めて行くこととなる。そこで連関図を漏れや重複のないように作成することが重要となる。
【００１８】
［本発明の実施の形態］
以下、本発明の実施の形態について図面を参照して詳細に説明する。
【００１９】
（情報処理装置の構成）
図２は、本発明の実施の形態に係る情報処理装置の概略構成を示す構成図である。図２に示すように、情報処理装置１は、制御部１０、記憶部１２、操作部１４、表示部１６及び外部Ｉ／Ｆ１８を含んで構成される。
【００２０】
制御部１０は、ＣＰＵ（Ｃｅｎｔｒａｌ  Ｐｒｏｃｅｓｓｉｎｇ  Ｕｎｉｔ）やメモリ等から構成され、各部を制御するとともに各種のプログラムを実行する。制御部１０は、フラグ設定手段１００及び表示手段１０１を含んで構成される。
【００２１】
記憶部１２は、ＨＤＤ（Ｈａｒｄ  Ｄｉｓｋ  Ｄｒｉｖｅ）やフラッシュメモリ等の記憶装置から構成され、情報を記憶する。記憶部１２は、情報処理プログラム１２０、フラグ設定テーブル１２１及び部品属性テーブル１２２を含んで構成される。
【００２２】
操作部１４としては、キーボード、マウス又はタッチパネル等を適宜選択して用いることができる。表示部１６は、文字や画像等を表示するもので、ＬＣＤ（Ｌｉｑｕｉｄ  Ｃｒｙｓｔａｌ  Ｄｉｓｐｌａｙ）等のディスプレイ装置等で構成される。また、外部Ｉ／Ｆ１８は、情報処理装置１を、回線等を通じて外部のデータベースやその他のシステム機器と接続させるものである。
【００２３】
制御部１０は、記憶部１２に記憶された情報処理プログラム１２０を実行することで、フラグ設定手段１００及び表示手段１０１等として機能する。
【００２４】
フラグ設定手段１００は、作成者の指示に応じて連関図を構成する部品に対してフラグを設定するものである。また、表示手段１０１は、作成者の指示に応じて、連関図の部品に対するフラグの設定状況を表示部１６に表示するものである。これらの詳しい動作については後述する。
【００２５】
記憶部１２に記憶された情報処理プログラム１２０は、制御部１０を上述した各手段として機能させるものである。フラグ設定テーブル１２１は、連関図の部品にフラグを設定したとき、そのフラグについて、どの部品にどのような条件でフラグを設定したのか等のフラグ設定状況を一覧表にしたテーブルである。部品属性テーブル１２２は、連関図の各部品について、作成（更新）日時や作成者等の属性を示すテーブルである。
【００２６】
（本発明の実施の形態の動作）
次に、本発明の実施の形態の動作を図３を参照して説明する。図３は、本発明の実施の形態における連関図にフラグを設定する様子を示す説明図である。
【００２７】
図３に示すように、連関図は、新規事象（１）等と四角い枠で囲んで表示された事象を示す事象部品と、各事象部品の間を結ぶ線で表示された各事象部品の関係性を示す接続部品とから構成される。
【００２８】
表示される各事象部品の間には、前述したように、例えば品質、機能、物理特性値及び設計パラメータというような複数の階層構造を有している。各事象部品を示す枠の中に矢印が表示されているが、これはその事象部品に記述された事象が表す値を増減させることを表している。上向きの矢印は増加、下向きの矢印は減少を表す。また図の左側の事象部品が親事象、右側の事象部品が子事象である。
【００２９】
図３に示す例では、全ての矢印が上向きであるので、子事象の値を増加させると親事象の値も増加することになる。なお、一般には上向きの矢印と下向きの矢印が混在しており、子事象と親事象の間には様々な関係性が存在し得る。
【００３０】
図３においては、各事象部品間の関係性を示す接続部品は、全て同じ種類の線で表示されているが、各事象部品の関係性（関係の強さ）に応じて、その線の太さや線の種類を変えて表示するようにしてもよい。
【００３１】
連関図の作成者が情報処理プログラム１２０を起動すると、表示部１６に連関図３０とフラグツール３００が表示される。
【００３２】
フラグツール３００には、フラグの種類を識別するフラグＮｏ３０１、表示入力欄３０２、枠表示入力欄３０３、色欄３０４、名称欄３０５、フラグタイプ欄３０６及び詳細欄３０７等が含まれている。
【００３３】
フラグＮｏ３０１は、各フラグの種類毎に番号を振って各フラグを識別するものである。表示入力欄３０２は、フラグが設定された部品を色で表示する際にチェックをいれる欄である。枠表示入力欄３０３は、フラグが設定された部品を枠で囲んで表示する際にチェックを入れる欄である。色欄３０４は、フラグが設定された各部品を色で区別して表示する際の色の種類を示す欄である。名称欄３０５は、フラグの名称を入力する欄である。
【００３４】
フラグタイプ欄３０６は、どのような条件でフラグを設定する部品を抽出するかというフラグの種類を示す欄である。フラグタイプとしては、例えば、部品の作成日時、更新日時あるいは作成者等といった部品の属性によってフラグを設定する部品を選択するように部品の属性を指定するものと、作成者が関連図の中から自由にフラグを設定する部品を選択する自由選択とがある。
【００３５】
詳細欄３０７は、フラグが設定される部品に関する詳細な条件を入力する欄である。また、フラグツール３００は、その下部に、更新ボタン３１０、設定したフラグを保持してフラグツール３００を閉じるボタン３１１及びフラグツール３００を終了する終了ボタン３１２等を備えている。
【００３６】
例えば、フラグＮｏ．１として、表示入力欄３０２にチェックを入れ、色欄３０４に右上から左下への細い斜線が設定され、名称欄３０５にフラグ１、フラグタイプ欄３０６に部品の属性として「更新日時」と設定し、詳細欄３０７に２０１９／０１／２４〜２０１９／０１／２５と設定すると、２０１９年１月２４日から２０１９年１月２５日の間に更新された部品にフラグが設定される。
【００３７】
例えば、図３の連関図においては、２０１９年１月２４日から２０１９年１月２５日の間に更新された部品として新規事象（２９）〜新規事象（３１）を示す枠の内部に、色欄３０４に示された右上から左下への細い斜線が表示される。
【００３８】
また例えば、フラグＮｏ．２として、表示入力欄３０２にチェックを入れ、色欄３０４にドットが設定され、名称欄３０５にフラグ２、フラグタイプ欄３０６に部品の属性として「生成日時」と設定し、詳細欄３０７に２０１９／０１／２４〜２０１９／０１／２５と設定すると、２０１９年１月２４日から２０１９年１月２５日の間に（新規）生成された部品にフラグが設定される。
【００３９】
例えば、図３の連関図においては、２０１９年１月２４日から２０１９年１月２５日の間に（新規）生成された部品として新規事象（２５）〜新規事象（２７）を示す枠の内部に、色欄３０４に示されたドットが表示される。
【００４０】
また、フラグＮｏ．３、フラグＮｏ．４については、フラグタイプ欄３０６が「自由選択」となっているが、これは作成者がフラグを設定する部品を自分で連関図３０の中から自由に選択するものである。
【００４１】
上の例では、フラグ１及びフラグ２において、それぞれフラグタイプとして更新日時及び生成日時という部品の属性が設定されているが、これらの属性は、部品属性テーブル１２２に登録されている。部品属性テーブル１２２は、事象部品属性テーブル及び接続部品属性テーブルを含んでいる。
【００４２】
図４に事象部品属性テーブルの一例を示す。図４に示す事象部品属性テーブル３２０は、部品名３２１毎にその作成日時３２２、作成者３２３、その他項目３２４等を含み、これを事象部品の数だけ有して構成される。
【００４３】
作成日時３２２は、最初にその部品を生成したときの新規生成日時と、その後内容を更新したときの更新日時とを含む。また、作成者３２３も、それぞれの作成日時に対応して記入される。その他項目３２４には、その部品に関するその他の情報が記入される。
【００４４】
図５に接続部品属性テーブルの一例を示す。図５に示す接続部品属性テーブル３３０は、部品名３３１毎にその接続部品が結ぶ親事象３３２と子事象３３３、それらの関係性を示す因果関係の強度３３４、因果関係の極性３３５、確定レベル３３６、作成日時３３７、作成者３３８及びその他項目３３９等を含み、これを接続部品の数だけ有して構成される。
【００４５】
因果関係の強度３３４は、例えば、非常に強い「◎」、強い「〇」、弱い「△」の三段階で表示される。属性を設定する際には、図５に示すようなテーブルを表示部１６に表示して、各項目を入力するとき、下向きの三角印によりこれら３つの中から因果関係の強度を選択するようにしてもよい。
【００４６】
因果関係の極性３３５は、「通常」、「逆転」及び「なし」の３つがある。「通常」は親事象と子事象で矢印の向きが同じ、すなわちそれぞれの値の増減の方向が同じ場合である。「逆転」は親事象と子事象で矢印の向きが逆、すなわちそれぞれの値の増減の方向が逆転している場合である。
【００４７】
確定レベル３３６には「仮設定」、「確定」及び「棄却」の３つがある。また作成日時３３７は、図では最初の作成である新規作成日時に対して更新日時の欄が一つしかないが、もっと欄を設けて全ての更新履歴を残すようにしてもよい。その際それぞれに対してその作成者の欄を設けるようにしてもよい。
【００４８】
部品に対するフラグの設定は、このように予め事象部品あるいは接続部品に所定の属性を持たせて部品属性テーブル１２２に登録しておき、指定された属性に該当する事象部品あるいは接続部品にフラグを設定するようにしてもよいし、作成者が連関図の中から自由に部品を選択してフラグを設定するようにしてもよい。
【００４９】
こうしてフラグツール３００を用いて部品にフラグが設定されると、フラグ設定手段１００は、フラグツール３００に設定された内容を記憶部１２のフラグ設定テーブル１２１に記録する。
【００５０】
図６にフラグ設定テーブル１２１の一例を示す。フラグ設定テーブル１２１は、例えば、フラグ名１２１１、フラグタイプ１２１２、フラグが設定された部品１２１３、作成（更新）日時１２１４及び備考１２１５等の記入欄を有して構成されている。
【００５１】
図３に示すフラグツール３００によれば、フラグ名１２１１がフラグ１のフラグ設定内容は、フラグタイプ１２１２は更新日時、フラグが設定された部品１２１３は新規事象（２９）、新規事象（３０）、新規事象（３１）、作成（更新）日時１２１４は２０１９年１月２４日〜２０１９年１月２５日・・・のようにフラグ設定テーブル１２１に記録される。その他のフラグについても同様である。
【００５２】
このように設定するフラグに応じて、各フラグが設定された各部品が区別されて表示部１６に表示されるとともにフラグ設定内容がフラグ設定テーブル１２１に記録される。このように各フラグが設定された各部品を区別して表示することにより、連関図を作成、修正する際、議論の注目点や更新箇所が分かり易くなる。
【００５３】
上に示した例では、連関図を構成する部品として要因の事象を示す事象部品に対してフラグを設定したが、連関図を構成する部品には各事象部品間の関係性を示す接続部品（各事象部品を結ぶ線）もあり、接続部品に対してフラグを設定することもできる。さらに、これら両方の部品に対してフラグを設定することもできる。
【００５４】
なお、図３に示した例では、フラグが設定された各部品を区別して表示する際、各部品を示す枠に斜線やドット等を表示したが、実際には、色で区別して表示したり各部品を示す枠を太くするなどして強調して表示する等、フラグが設定された部品が他とは区別して認識できるようにすべく目立つような他の方法で表示してもよい。
【００５５】
次に、同一のフラグが設定された部品を枠で囲んで表示する表示方法について説明する。図７は、フラグが設定された部品を枠表示する様子を示す説明図である。
【００５６】
図７に示すように、表示部１６に連関図４０とともにフラグツール４００が表示されている。ここではフラグツール４００において、フラグ１、フラグ２及びフラグ３のいずれにも、枠表示入力欄４１０にチェックが入っている。
【００５７】
フラグ１に対応する部品が新規事象（２）〜（４）とすると、連関図４０において、これらの新規事象（２）〜（４）を枠４２で囲んで表示する。またフラグ２に対応する部品が新規事象（５）〜（７）とすると、連関図４０において、これらの新規事象（５）〜（７）を枠４４で囲んで表示する。さらにフラグ３に対応する部品が新規事象（８）〜（１０）とすると、連関図４０において、これらの新規事象（８）〜（１０）を枠４６で囲んで表示する。
【００５８】
図７に示す例では、同一の種類のフラグが設定された部品を四角い枠４２〜４６で囲んで表示したが、枠の形状は四角に限定されるものではなく、自由な形状の枠で囲んで表示することができる。
【００５９】
また、前述した強調表示と今回の枠表示を併用して表示するようにしてもよい。さらに、フラグが設定された部品を表示するパターンを複数保持して、それらを任意に切り替えて表示するようにしてもよい。
【００６０】
以上、本発明の様々な実施の形態について説明してきたが、本発明はこれらの実施の形態のみに限定されるものではない。本発明は、これらの他にも本発明の趣旨を逸脱しない範囲で種々な変形が可能である。例えば、上記実施の形態における情報処理プログラム１２０をＣＤ−ＲＯＭ等の記録媒体に記憶して提供するようにしてもよい。
【００６１】
また、上記実施の形態で用いたプログラムをクラウドサーバ等の外部サーバに格納しておき、ネットワークを介して利用することもできる。
【００６２】
また、制御部１０を構成する各部は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【符号の説明】
【００６３】
１…情報処理装置、１０…制御部、１２…記憶部、１４…操作部、１６…表示部、１８…外部Ｉ／Ｆ、１００…フラグ設定手段、１０１…表示手段、１２０…情報処理プログラム、１２１…フラグ設定テーブル、１２２…部品属性テーブル
【図１】
2020140547.tif 000003
【図２】
2020140547.tif 000004
【図３】
2020140547.tif 000005
【図４】
2020140547.tif 000006
【図５】
2020140547.tif 000007
【図６】
2020140547.tif 000008
【図７】
2020140547.tif 000009